(57)【要約】【課題】画像が表示される表示面を視る角度によって生じる色ずれを低減することを可能とする液晶表示装置等を提供する。【解決手段】画素の色が特定色領域ＲＮ内の色であるか否かが判定される（Ｓ１１２）。特定色領域ＲＮは、表示面に色が表示された場合、表示面に対し垂直な軸上で人間が感じる表示面に表示される色と所定角度傾けた軸上で人間が感じる表示面に表示される色との差が所定値以上である複数の色を含む領域である。特定色領域ＲＮ内の色であると判定された画素である処理対象画素の色の位置に基づいて、特定色領域ＲＮ外の色であって、かつ、処理対象画素の色より彩度の低い第１色と、特定色領域ＲＮ外の色であって、かつ、処理対象画素の色より彩度の高い第２色とが算出される（Ｓ１１４，Ｓ１１６）。処理対象画素の色が第１色および第２色の一方に変更され、処理対象画素の近傍の画素の色が第１色および第２色の他方に変更される（Ｓ１１７）。【選択図】図４
2010054729.tif 000002
【特許請求の範囲】
【請求項１】
画像を表示する表示面を有する、ＶＡ（Vertical Alignment）方式の液晶表示装置であって、
画像を取得する取得部と、
前記画像を構成する複数の画素の各々に対し、画素の色が、前記液晶表示装置が表示可能な全ての色を示す色度図上の特定色領域内の色であるか否かを判定する色判定処理を行なう色判定部とを備え、
前記特定色領域は、前記表示面に色が表示された場合、前記表示面に対し垂直な軸上で人間が感じる前記表示面に表示される色と、所定角度傾けた前記軸上で人間が感じる前記表示面に表示される色との差が所定値以上である複数の色を含む前記色度図上の領域であり、
前記色判定部により前記特定色領域内の色であると判定された画素である処理対象画素の色の位置に基づいて、前記特定色領域外の色であって、かつ、前記処理対象画素の色より彩度の低い第１色と、前記特定色領域外の色であって、かつ、前記処理対象画素の色より彩度の高い第２色とを算出する色算出処理と、前記処理対象画素の色を前記第１色および前記第２色の一方に変更し、かつ、前記処理対象画素の近傍の画素の色を前記第１色および前記第２色の他方に変更する色変更処理とを、全ての前記処理対象画素に対して行なう色処理部と、
前記色処理部により処理された前記全ての処理対象画素を含む画像を表示する表示部と
をさらに備える、液晶表示装置。
【請求項２】
前記特定色領域は、前記色度図が示す前記全ての色を含む全色領域内に配置され、
前記色度図上の無彩色の位置から、前記処理対象画素の色の位置を経由して、前記全色領域の境界を示す全色領域境界線までを結ぶ線分において、前記無彩色の位置から前記特定色領域までの距離は、前記全色領域境界線から前記特定色領域までの距離より長く、
前記第１色は、前記線分において、前記無彩色の位置と前記特定色領域との間の位置の色であり、
前記第２色は、前記線分において、前記特定色領域と前記全色領域境界線との間の位置の色である、
請求項１に記載の液晶表示装置。
【請求項３】
前記線分において、前記処理対象画素の色の位置と前記第１色の位置との距離は、前記処理対象画素の色の位置と前記第２色の位置との距離と同じである、
請求項２に記載の液晶表示装置。
【請求項４】
前記線分は、前記特定色領域の境界を示す領域境界線上の第１および第２の境界線上位置を通過し、
前記第１の境界線上位置は、前記第２の境界線上位置より前記無彩色の位置に近い位置であり、
前記処理対象画素の色の位置が、前記線分上の前記特定色領域内の領域であって、かつ、前記第１の境界線上位置より前記第２の境界線上位置に近い領域である所定領域内の位置であるか否かを判定する位置判定部をさらに備え、
前記色処理部は、前記位置判定部により前記処理対象画素の色の位置が前記所定領域内の位置であると判定された場合、前記色算出処理と、前記処理対象画素の色を前記第１色に変更し、かつ、前記処理対象画素の近傍の複数の画素の色を前記第２色に変更する複数色変更処理とを、色の位置が前記所定領域内の位置であると判定された全ての前記処理対象画素に対して行なう、
請求項２に記載の液晶表示装置。
【請求項５】
前記取得部は、所定の順序で連続して表示するための複数の画像を取得し、
前記色判定部は、前記取得部が取得した前記複数の画像のいずれかの画像に対し、前記色判定処理を行い、
前記色処理部は、前記位置判定部により前記処理対象画素の色の位置が前記所定領域内の位置であると判定された場合、前記色算出処理および前記複数色変更処理を、色の位置が前記所定領域内の位置であると判定された、前記色判定処理が行なわれた画像に含まれる全ての前記処理対象画素に対して行なうとともに、前記複数の画像のうち、前記色判定処理が行なわれた画像より後に表示するための画像に対しては、前記色算出処理および前記複数色変更処理が行なわれた前記処理対象画素の位置と同じ位置の画素の色および当該画素の近傍の複数の画素の色を前記第２色に変更する、
請求項４に記載の液晶表示装置。
【請求項６】
前記処理対象画素および前記処理対象画素の近傍の画素は、水平方向に隣接する、
請求項１に記載の液晶表示装置。
【請求項７】
前記色処理部が行なう前記色変更処理は、ディザ法または誤差拡散法に基づく処理である、請求項１に記載の液晶表示装置。
【請求項８】
前記特定色領域は、肌色を含む領域である、
請求項１に記載の液晶表示装置。
【請求項９】
前記色度図は、ＵＣＳ（Uniform Color Scale）色度図である、
請求項１に記載の液晶表示装置。
【請求項１０】
画像を表示する表示面を有する、ＶＡ（Vertical Alignment）方式の液晶表示装置が行なう色処理方法であって、
画像を取得する取得ステップと、
前記画像を構成する複数の画素の各々に対し、画素の色が、前記液晶表示装置が表示可能な全ての色を示す色度図上の特定色領域内の色であるか否かを判定する色判定処理を行なう色判定ステップとを備え、
前記特定色領域は、前記表示面に色が表示された場合、前記表示面に対し垂直な軸上で人間が感じる前記表示面に表示される色と、所定角度傾けた前記軸上で人間が感じる前記表示面に表示される色との差が所定値以上である複数の色を含む前記色度図上の領域であり、
前記色判定ステップにより前記特定色領域内の色であると判定された画素である処理対象画素の色の位置に基づいて、前記特定色領域外の色であって、かつ、前記処理対象画素の色より彩度の低い第１色と、前記特定色領域外の色であって、かつ、前記処理対象画素の色より彩度の高い第２色とを算出する色算出処理と、前記処理対象画素の色を前記第１色および前記第２色の一方に変更し、かつ、前記処理対象画素の近傍の画素の色を前記第１色および前記第２色の他方に変更する色変更処理とを、全ての前記処理対象画素に対して行なう色処理ステップと、
前記色処理ステップにより処理された前記全ての処理対象画素を含む画像を表示する表示ステップと
をさらに備える、色処理方法。
【請求項１１】
前記特定色領域は、前記色度図が示す前記全ての色を含む全色領域内に配置され、
前記色度図上の無彩色の位置から、前記処理対象画素の色の位置を経由して、前記全色領域の境界を示す全色領域境界線までを結ぶ線分において、前記無彩色の位置から前記特定色領域までの距離は、前記全色領域境界線から前記特定色領域までの距離より長く、
前記第１色は、前記線分において、前記無彩色の位置と前記特定色領域との間の位置の色であり、
前記第２色は、前記線分において、前記特定色領域と前記全色領域境界線との間の位置の色である、
請求項１０に記載の色処理方法。
【請求項１２】
前記線分において、前記処理対象画素の色の位置と前記第１色の位置との距離は、前記処理対象画素の色の位置と前記第２色の位置との距離と同じである、
請求項１１に記載の色処理方法。
【請求項１３】
前記線分は、前記特定色領域の境界を示す領域境界線上の第１および第２の境界線上位置を通過し、
前記第１の境界線上位置は、前記第２の境界線上位置より前記無彩色の位置に近い位置であり、
前記処理対象画素の色の位置が、前記線分上の前記特定色領域内の領域であって、かつ、前記第１の境界線上位置より前記第２の境界線上位置に近い領域である所定領域内の位置であるか否かを判定する位置判定ステップをさらに備え、
前記色処理ステップは、前記位置判定ステップにより前記処理対象画素の色の位置が前記所定領域内の位置であると判定された場合、前記色算出処理と、前記処理対象画素の色を前記第１色に変更し、かつ、前記処理対象画素の近傍の複数の画素の色を前記第２色に変更する複数色変更処理とを、色の位置が前記所定領域内の位置であると判定された全ての前記処理対象画素に対して行なう、
請求項１１に記載の色処理方法。
【請求項１４】
前記取得ステップは、所定の順序で連続して表示するための複数の画像を取得し、
前記色判定ステップは、前記取得ステップが取得した前記複数の画像のいずれかの画像に対し、前記色判定処理を行い、
前記色処理ステップは、前記位置判定ステップにより前記処理対象画素の色の位置が前記所定領域内の位置であると判定された場合、前記色算出処理および前記複数色変更処理を、色の位置が前記所定領域内の位置であると判定された、前記色判定処理が行なわれた画像に含まれる全ての前記処理対象画素に対して行なうとともに、前記複数の画像のうち、前記色判定処理が行なわれた画像より後に表示するための画像に対しては、前記色算出処理および前記複数色変更処理が行なわれた前記処理対象画素の位置と同じ位置の画素の色および当該画素の近傍の複数の画素の色を前記第２色に変更する、
請求項１３に記載の色処理方法。
【請求項１５】
前記処理対象画素および前記処理対象画素の近傍の画素は、水平方向に隣接する、
請求項１０に記載の色処理方法。
【請求項１６】
前記色処理ステップが行なう前記色変更処理は、ディザ法または誤差拡散法に基づく処理である、請求項１０に記載の色処理方法。
【請求項１７】
前記特定色領域は、肌色を含む領域である、
請求項１０に記載の色処理方法。
【請求項１８】
前記色度図は、ＵＣＳ（Uniform Color Scale）色度図である、
請求項１０に記載の色処理方法。
【発明の詳細な説明】
【技術分野】
【０００１】
本発明は、液晶表示装置および色処理方法に関し、特に、画像の画素の色を変更する処理を行なう液晶表示装置および色処理方法に関する。
【背景技術】
【０００２】
近年、ＶＡ（Vertical Alignment）方式の液晶パネルを使用した液晶表示装置が普及しつつある。ＶＡ方式の液晶パネルは、黒を表示する際の漏れ光が少なく、高コントラストという特徴を有する。そのため、ＶＡ方式の液晶パネルは、ＴＮ（Twisted Nematic）方式の液晶パネルより、視野角の光学的変化が少ないため、多くの液晶テレビで使用されている。非特許文献１には、ＶＡ方式の原理および視野角拡大原理等が開示されている。
【非特許文献１】エイ．タケダ（A. Takeda）、エス．カタオカ（S. Kataoka）、ティー．ササキ（T. Sasaki）、エイチ．チダ（H. Chida）、ケイ．オオムラ（K. Ohmura）、ティー．ササバヤシ（T. Sasabayashi）、ワイ．コイケ（Y. Koike）およびケイ．オカモト（K. Okamoto）著、「ア  スーパー−ハイ−イメージ−クオリティー  マルチ−ドメイン  バーティカル  アラインメント  エルシィーディ  バイ  ニュー  ラビング−レス  テクノロジー」（A Super-High-Image-Quality Multi-Domain Vertical Alignment LCD by New Rubbing-Less Technology）、エスアイディ（SID）'98ダイジェスト（Digest）、1998年、p.1077-1080
【発明の開示】
【発明が解決しようとする課題】
【０００３】
しかしながら、ＶＡ方式の液晶パネルは、斜めから見た場合の色変化が指摘される場合がある。実際には、ＶＡ方式の液晶パネルでは、正面から離れると輝度低下も発生しているが、画像のトーン（調子）は変わらないので輝度低下の指摘は少ないが、色の変化で視野角の狭さが指摘される場合が多い。
【０００４】
図１４は、ＶＡ方式の液晶パネルの特性を示す図である。図１４において、縦軸は、輝度の相対値を示す。縦軸に示される値は、輝度の最大値を“１”とした場合の相対値である。横軸に示される値は、入力レベルの最大値を“１”とした場合の相対値である。
【０００５】
以下においては、ＶＡ方式の液晶表示装置が有する、画像を表示する表示面を、ＶＡ方式表示面という。また、以下においては、ＶＡ方式表示面に対し垂直な軸であって、かつ、軸の一端がＶＡ方式表示面の中心の位置に接する軸を、表示面垂直軸という。また、以下においては、水平方向にＫ（０〜１８０未満の実数）度傾けた表示面垂直軸上でユーザがＶＡ方式表示面を視る場合において、Ｋ度傾けた表示面垂直軸におけるＫ度の角度を、視角という。
【０００６】
ここで、ＶＡ方式表示面には、所定の色（例えば、白）が表示されているとする。この場合、図１４において、特性曲線Ｌ０は、表示面垂直軸上でユーザ（人間）が感じる、ＶＡ方式表示面の明るさの特性を示す。すなわち、特性曲線Ｌ０は、ユーザ（人間）が、ＶＡ方式表示面を正面から視た場合における、ユーザ（人間）が感じる、ＶＡ方式表示面の明るさの特性を示す。
【０００７】
特性曲線Ｌ０は、ガンマ値が“２．２”の場合の曲線である。特性曲線Ｌ３０は、水平方向に３０度傾けた表示面垂直軸上でユーザ（人間）が感じる、ＶＡ方式表示面の明るさの特性を示す。特性曲線Ｌ６０は、水平方向に６０度傾けた表示面垂直軸上で、ユーザ（人間）が感じる、ＶＡ方式表示面の明るさの特性を示す。
【０００８】
図１４に示されるように、ユーザがＶＡ方式表示面を視る位置の対象となる表示面垂直軸を、３０度、６０度と傾けるほど、中間調において、輝度の値が大きくなる。すなわち、同じ入力レベルの信号でも、視角が大きくなるほど、輝度のずれが生じる。
【０００９】
なお、輝度のずれが発生した場合でも、Ｒ，Ｇ，Ｂの原色については、他の色が混合されてないので、色ずれは発生しない。しかしながら、色度図上で原色よりやや内側の混合色では他の色の割合が変わるので色ずれが生じる。
【００１０】
たとえば、図１４では、入力レベルが“０．９”の場合、特性曲線Ｌ０および特性曲線Ｌ６０が示す輝度は、それぞれ、Ａ１およびＡ２であるとする。また、入力レベルが“０．４”の場合、特性曲線Ｌ０および特性曲線Ｌ６０が示す輝度は、それぞれ、Ｂ１およびＢ２であるとする。
【００１１】
この場合、視角が０度の場合、輝度Ａ１のＲ（赤）色と、輝度Ｂ１のＧ（緑）色と、輝度Ｂ１のＢ（青）色とから、後述する朱色ＣＡ０が生成されるとする。また、視角が６０度の場合、輝度Ａ２のＲ（赤）色と、輝度Ｂ２のＧ（緑）色と、輝度Ｂ２のＢ（青）色とから、後述する朱色ＣＡ３０が生成されるとする。この場合、視角が０度から６０度に変化すると、主色（Ｒ）と従色（Ｇ，Ｂ）の混合比が、Ａ１／Ｂ１からＡ２／Ｂ２となる。
【００１２】
すなわち、主色（Ｒ）と従色（Ｇ，Ｂ）の混合比が、色が薄くなる方向へと変わる。そのため、視角が０度から６０度に変化するにつれ、ＶＡ方式表示面に表示される朱色が薄くなるように識別される。この現象が、視聴者（ユーザ）から画質劣化と捉えられていた。
【００１３】
上記現象を色度図上で表したものが、図１５である。図１５は、ＣＩＥ  １９７６  ＵＣＳ（Uniform Color Scale）色度図である。図１５において、色領域ＲＡは、液晶表示装置が表示可能な全ての色を示す領域である。色領域線ＬＡ０は、視角が０度の場合において、前述したように、輝度Ａ１のＲ（赤）色と、輝度Ｂ１のＧ（緑）色と、輝度Ｂ１のＢ（青）色とから生成された朱色ＣＡ０を含む中間色を示す線である。色領域線ＬＡ３０は、視角が３０度の場合における朱色ＣＡ３０を含む中間色を示す線である。色Ｃ０は、無彩色である。なお、無彩色Ｃ０の位置は、テレビジョン規格において、色温度が６５００度である場合の無彩色の原点の位置である。図１５において、原色ＣＰは、赤（Ｒ）の原色の例である。また、図１５において、無彩色Ｃ０と原色ＣＰとを結ぶ線分を、線分Ｌ０Ｐとする。
【００１４】
図１５に示されるように、Ｒ，Ｇ，Ｂの原色（例えば、原色ＣＰ）の位置は、視角が変化しても、ほとんど変化しない。原色より彩度が低い中間色（たとえば、朱色ＣＡ０）の位置は、視角の変化に応じて、内側へ大きく移動する（たとえば、朱色ＣＡ３０）。以上により、ＶＡ方式の液晶表示装置では、画像が表示される表示面を視る角度によって、中間色が変化してしまうという問題点がある。すなわち、ＶＡ方式の液晶表示装置では、画像が表示される表示面を視る角度によって色ずれが生じるという問題点がある。
【００１５】
本発明は、上述の問題点を解決するためになされたものであって、その目的は、画像が表示される表示面を視る角度によって生じる色ずれを低減することを可能とする液晶表示装置等を提供することである。
【課題を解決するための手段】
【００１６】
上述の課題を解決するために、この発明のある局面に従うと、画像を表示する表示面を有する、ＶＡ（Vertical Alignment）方式の液晶表示装置は、画像を取得する取得部と、画像を構成する複数の画素の各々に対し、画素の色が、液晶表示装置が表示可能な全ての色を示す色度図上の特定色領域内の色であるか否かを判定する色判定処理を行なう色判定部とを備える。特定色領域は、表示面に色が表示された場合、表示面に対し垂直な軸上で人間が感じる表示面に表示される色と、所定角度傾けた軸上で人間が感じる表示面に表示される色との差が所定値以上である複数の色を含む色度図上の領域である。液晶表示装置は、色判定部により特定色領域内の色であると判定された画素である処理対象画素の色の位置に基づいて、特定色領域外の色であって、かつ、処理対象画素の色より彩度の低い第１色と、特定色領域外の色であって、かつ、処理対象画素の色より彩度の高い第２色とを算出する色算出処理と、処理対象画素の色を第１色および第２色の一方に変更し、かつ、処理対象画素の近傍の画素の色を第１色および第２色の他方に変更する色変更処理とを、全ての処理対象画素に対して行なう色処理部と、色処理部により処理された全ての処理対象画素を含む画像を表示する表示部とをさらに備える。
【００１７】
すなわち、画素の色が、特定色領域内の色であるか否かが判定される。特定色領域は、表示面に色が表示された場合、表示面に対し垂直な軸上で人間が感じる表示面に表示される色と、所定角度傾けた軸上で人間が感じる表示面に表示される色との差が所定値以上である複数の色を含む領域である。特定色領域内の色であると判定された画素である処理対象画素の色の位置に基づいて、特定色領域外の色であって、かつ、処理対象画素の色より彩度の低い第１色と、特定色領域外の色であって、かつ、処理対象画素の色より彩度の高い第２色とが算出される。処理対象画素の色が第１色および第２色の一方に変更され、かつ、処理対象画素の近傍の画素の色が第１色および第２色の他方に変更される。
【００１８】
すなわち、人間が表示面を見る角度によって色の変化の度合いが大きい複数の色を含む特定色領域内の画素の色を、特定色領域外の２つの色と、２つの画素とにより表現する。
【００１９】
したがって、画像が表示される画像表示面を視る角度によって生じる色ずれを大きく低減することができる。
【００２０】
この発明の他の局面に従うと、画像を表示する表示面を有する、ＶＡ（Vertical Alignment）方式の液晶表示装置が行なう色処理方法は、画像を取得する取得ステップと、画像を構成する複数の画素の各々に対し、画素の色が、液晶表示装置が表示可能な全ての色を示す色度図上の特定色領域内の色であるか否かを判定する色判定処理を行なう色判定ステップとを備える。特定色領域は、表示面に色が表示された場合、表示面に対し垂直な軸上で人間が感じる表示面に表示される色と、所定角度傾けた軸上で人間が感じる表示面に表示される色との差が所定値以上である複数の色を含む色度図上の領域である。色処理方法は、色判定ステップにより特定色領域内の色であると判定された画素である処理対象画素の色の位置に基づいて、特定色領域外の色であって、かつ、処理対象画素の色より彩度の低い第１色と、特定色領域外の色であって、かつ、処理対象画素の色より彩度の高い第２色とを算出する色算出処理と、処理対象画素の色を第１色および第２色の一方に変更し、かつ、処理対象画素の近傍の画素の色を第１色および第２色の他方に変更する色変更処理とを、全ての処理対象画素に対して行なう色処理ステップと、色処理ステップにより処理された全ての処理対象画素を含む画像を表示する表示ステップとをさらに備える。
【００２１】
すなわち、画素の色が、特定色領域内の色であるか否かが判定される。特定色領域は、表示面に色が表示された場合、表示面に対し垂直な軸上で人間が感じる表示面に表示される色と、所定角度傾けた軸上で人間が感じる表示面に表示される色との差が所定値以上である複数の色を含む領域である。特定色領域内の色であると判定された画素である処理対象画素の色の位置に基づいて、特定色領域外の色であって、かつ、処理対象画素の色より彩度の低い第１色と、特定色領域外の色であって、かつ、処理対象画素の色より彩度の高い第２色とが算出される。処理対象画素の色が第１色および第２色の一方に変更され、かつ、処理対象画素の近傍の画素の色が第１色および第２色の他方に変更される。
【００２２】
すなわち、人間が表示面を見る角度によって色の変化の度合いが大きい複数の色を含む特定色領域内の画素の色を、特定色領域外の２つの色と、２つの画素とにより表現する。
【００２３】
したがって、画像が表示される画像表示面を視る角度によって生じる色ずれを大きく低減することができる。
【００２４】
なお、本発明は、色処理方法で行なわれる処理を、コンピュータに実行させるプログラムとしても実現することもできる。また、本発明は、当該プログラムを格納するコンピュータ読み取り可能な記録媒体、集積回路としても実現することができる。
【発明の効果】
【００２５】
本発明によれば、画素の色が、特定色領域内の色であるか否かが判定される。特定色領域は、表示面に色が表示された場合、表示面に対し垂直な軸上で人間が感じる表示面に表示される色と、所定角度傾けた軸上で人間が感じる表示面に表示される色との差が所定値以上である複数の色を含む領域である。特定色領域内の色であると判定された画素である処理対象画素の色の位置に基づいて、特定色領域外の色であって、かつ、処理対象画素の色より彩度の低い第１色と、特定色領域外の色であって、かつ、処理対象画素の色より彩度の高い第２色とが算出される。処理対象画素の色が第１色および第２色の一方に変更され、かつ、処理対象画素の近傍の画素の色が第１色および第２色の他方に変更される。
【００２６】
すなわち、人間が表示面を見る角度によって色の変化の度合いが大きい複数の色を含む特定色領域内の画素の色を、特定色領域外の２つの色と、２つの画素とにより表現する。
【００２７】
したがって、画像が表示される画像表示面を視る角度によって生じる色ずれを大きく低減することができる。
【発明を実施するための最良の形態】
【００２８】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００２９】
＜第１の実施の形態＞
図１は、第１の実施の形態における液晶表示装置１０００の構成を示すブロック図である。図１に示されるように、液晶表示装置１０００は、信号処理回路１００と、データ駆動回路２１０と、走査駆動回路２２０と、液晶パネル２３０とを備える。
【００３０】
なお、液晶表示装置１０００は、図示されないバックライト部、電源部等も備える。また、液晶表示装置１０００がテレビジョン受像機であるとした場合、液晶表示装置１０００は、図示されない、チューナー、復号回路等をさらに備える。
【００３１】
信号処理回路１００は、ＤＳＰ（Digital Signal Processor）、ＡＳＩＣ（Application Specific Integrated Circuit）等の画像処理専用の回路である。なお、信号処理回路１００は、ＤＳＰ，ＡＳＩＣ等に限定されることなく、他の演算回路であってもよい。
【００３２】
信号処理回路１００には、画像信号ＩＭＧが入力される。信号処理回路１００は、入力される画像信号ＩＭＧに対し、色処理（例えば、後述する色ずれ低減処理等）、ガンマ補正等の画像処理を行なう。信号処理回路１００は、画像処理を行なった画像信号を、データ駆動回路２１０へ送信する。データ駆動回路２１０は、受信した画像信号を、液晶パネル２３０へ送信する。
【００３３】
液晶パネル２３０は、ＶＡ（Vertical Alignment）方式の液晶パネルである。液晶パネル２３０は、画像を表示する画像表示面を有する。
【００３４】
また、信号処理回路１００は、画像処理を行なった画像信号に同期した走査信号を、走査駆動回路２２０へ送信する。走査駆動回路２２０は、受信した走査信号に応じて、液晶パネル２３０を駆動させる。データ駆動回路２１０および走査駆動回路２２０の動作により、液晶パネル２３０の画像表示面に、画像信号に基づく画像が表示される。なお、液晶パネル２３０の画像表示面に画像を表示させるための処理は、一般的なＶＡ方式の液晶表示装置の処理と同様なので詳細な説明は行なわない。
【００３５】
以下においては、画像表示面に対し垂直な軸であって、かつ、軸の一端が画像表示面の中心の位置に接する軸を、表示面垂直軸という。また、以下においては、Ｋ（０〜１８０未満の実数）度傾けた表示面垂直軸上でユーザが画像表示面を視る場合において、水平方向にＫ度傾けた表示面垂直軸におけるＫ度の角度を、視角という。
【００３６】
図２は、ＵＣＳ色度図上の無彩色から原色までにおける、視角毎の色ずれを説明するための示す図である。具体的には、図２は、図１５の無彩色Ｃ０と原色ＣＰとを結ぶ線分Ｌ０Ｐ上の色を、画像表示面に表示した場合おける、視角毎の色ずれを実測値で示す図である。当該実測値は、色彩計等の装置により測定された値である。
【００３７】
図２において、横軸は、図１５の無彩色Ｃ０から原色ＣＰまでの距離を“１”とした場合の相対値を示す。なお、図２の横軸は、画像表示面に線分Ｌ０Ｐ上の色を表示した場合における、画像表示面の正面から、画像表示面に表示される色を色彩計により測定した値（Δｕ’ｖ’“０”）を示す軸となる。すなわち、画像表示面に線分Ｌ０Ｐ上の色を表示したときに、表示面垂直軸上からユーザが画像表示面を視た場合、ユーザは色のずれを感じない。
【００３８】
特性曲線ＬＣ１５は、画像表示面に線分Ｌ０Ｐ上の色を表示したときに、表示面垂直軸上から色彩計により測定した画像表示面に表示される色と、水平方向に１５度傾けた表示面垂直軸上から色彩計により測定した画像表示面に表示される色との差（ずれ）の特性を示す。特性曲線ＬＣ３０は、画像表示面に線分Ｌ０Ｐ上の色を表示したときに、表示面垂直軸上から色彩計により測定した画像表示面に表示される色と、水平方向に３０度傾けた表示面垂直軸上から色彩計により測定した画像表示面に表示される色との差（ずれ）の特性を示す。
【００３９】
特性曲線ＬＣ４５は、画像表示面に線分Ｌ０Ｐ上の色を表示したときに、表示面垂直軸上から色彩計により測定した画像表示面に表示される色と、水平方向に４５度傾けた表示面垂直軸上から色彩計により測定した画像表示面に表示される色との差（ずれ）の特性を示す。
【００４０】
特性曲線ＬＣ３０は、例えば、図１５の線分Ｌ０Ｐ上の無彩色Ｃ０の位置から約０．８の距離だけ離れた位置の色が画像表示面に表示された場合、表示面垂直軸上でユーザが感じる画像表示面に表示される色と、水平方向に３０度傾けた表示面垂直軸上でユーザが感じる画像表示面に表示される色との差（ずれ）が最も大きくなることを示す。
【００４１】
図２に示されるように、特性曲線ＬＣ１５，ＬＣ３０，ＬＣ４５の各々において、横軸の値が０．７〜０．９５の範囲に対応するΔｕ’ｖ’の値が、他の範囲に対応するΔｕ’ｖ’の値より特に大きくなっている。
【００４２】
本発明においては、表示面垂直軸上でユーザが感じる画像表示面に表示される色と、水平方向に所定角度（例えば、３０度）傾けた表示面垂直軸上でユーザが感じる画像表示面に表示される色との差（Δｕ’ｖ’）が、所定値以上である複数の色を含む領域を、特定色領域ＲＮという。
【００４３】
なお、特性曲線ＬＣ１５，ＬＣ３０，ＬＣ４５の各々が示す特性は、ＵＳＣ色度図が示す全ての色のうちの一部の色の特性である。そのため、本発明においては、図２に対応する以外の色の特性も考慮して、図２の横軸の値が、０．６〜０．９の範囲に含まれる複数の色を含む領域を、特定色領域ＲＮとする。そのため、図２では、一例として、特性曲線ＬＣ３０が示すΔｕ’ｖ’の値が、約０．０２以上の範囲の約８割の範囲が、特定色領域ＲＮとなる。なお、特定色領域ＲＮを決める値の範囲は、０．６〜０．９に限定されることなく、他の値の範囲（たとえば、０．７〜０．９２）であってもよい。
【００４４】
本発明において、特定色領域ＲＮは、一例として、視角が３０度以内の場合における色ずれに対処しようとするものである。なお、特定色領域ＲＮの色ずれの対処となる視角は、３０度以内に限定されることはない。
【００４５】
図２に示される特定色領域ＲＮ内には、肌色が含まれる。そのため、画像表示面に、人間の顔を示す画像が表示されると、視角が大きくなるほど肌色が変化する。
【００４６】
図３は、ＵＣＳ色度図において、特定色領域ＲＮを示す図である。図３において、図１５に示される符号と同じ符号が付される箇所は、図１５で説明したのと同様なので詳細な説明は繰り返さない。図３に示される色領域ＲＡは、液晶表示装置１０００の液晶パネル２３０が表示可能な全ての色を示す領域である。特定色領域ＲＮは、色領域ＲＡ内に配置される領域である。
【００４７】
図３において、領域境界線ＬＲ１は、特定色領域ＲＮ内の内側の境界を示す線である。また、領域境界線ＬＲ２は、特定色領域ＲＮ内の外側の境界を示す線である。以下においては、色領域ＲＡの境界を示す線を、全色領域境界線という。全色領域境界線上には、原色ＣＰが配置される。
【００４８】
本発明は、画像表示面に画像を表示する場合、表示される予定の画像の画素の色が、特定色領域ＲＮ内の色である場合、特定色領域ＲＮ外の複数の色と、複数の画素を使用して、特定色領域ＲＮ内の色を表現するという発明である。
【００４９】
（色ずれ低減のための処理）
次に、視角に応じて生じる色ずれを低減するための処理（以下、色ずれ低減処理という）について説明する。
【００５０】
図４は、色ずれ低減処理のフローチャートである。図４をに示されるように、まず、色ずれ低減処理では、ステップＳ１１１の処理が行なわれる。
【００５１】
ステップＳ１１１では、図１の信号処理回路１００が、外部から画像を取得する。具体的には、信号処理回路１００が、外部から画像を示す画像信号を取得する。以下においては、信号処理回路１００が取得した画像信号が示す画像を、取得画像という。ここで、取得画像のサイズは、一例として、横１９２０画素、縦１０８０画素のサイズであるとする。
【００５２】
ステップＳ１１２では、信号処理回路１００が、取得画像を構成する複数の画素のうち、Ｓ（自然数）番目の画素の色が、図３に示す特定色領域ＲＮ内の色であるか否かを判定する。なお、Ｓの初期値は“１”であるとする。
【００５３】
取得画像において、１〜１９２０番目の画素は、それぞれ、１行１列目の画素〜１行１９２０列目の画素である。取得画像において、１９２１番目の画素は、２行１列目の画素である。すなわち、Ｓ番目の画素は、Ｓの値が１増加する毎に、隣接する右の画素となる。なお、取得画像において、Ｓ番目の画素に隣接する右の画素が存在しない場合、Ｓ＋１番目の画素は、１行下の１列目の画素となる。最終的に、Ｓ番目の画素は、１０８０行１９２０列の画素となる。
【００５４】
ステップＳ１１２において、ＹＥＳならば、処理はステップＳ１１３の処理に移行する。一方、ステップＳ１１２において、ＮＯならば、処理はステップＳ１１２Ａの処理に移行する。以下においては、画素の色が特定色領域ＲＮ内の色であると判定された画素を、処理対象画素という。ここでは、ステップＳ１１２において、ＮＯと判定されたとして、ステップＳ１１２Ａの処理が行なわれるとする。
【００５５】
ステップＳ１１２Ａでは、信号処理回路１００がＳの値を“１”インクリメントする。
ステップＳ１１２Ｂでは、取得画像を構成する全ての画素について、ステップＳ１１２の判定処理が終了したか否かが判定される。具体的には、信号処理回路１００が、Ｓの値が、取得画像を構成する画素の数（１０８０×１９２０＝２０７３６００）より大きいか否かを判定する。
【００５６】
ステップＳ１１２Ｂにおいて、ＹＥＳならば、信号処理回路１００がＳの値を“１”に設定して、処理は後述するステップＳ１１９の処理に移行する。一方、ステップＳ１１２Ｂにおいて、ＮＯならば、再度、ステップＳ１１２の処理が行なわれる。ここでは、ＮＯと判定され、ステップＳ１１２の処理が行なわれるとする。
【００５７】
ここで、取得画像は、以下の取得画像Ｇ１００であるとする。ここで、Ｓ番目の画素が、取得画像Ｇ１００に示される画素ＰＸであるとする。
【００５８】
図５は、一例としての取得画像Ｇ１００を示す図である。図５において、画素ＰＮ１，ＰＮ２については後述する。
【００５９】
また、図５の画素ＰＸとしてのＳ番目の画素が、図３に示される画素ＰＸであるとする。すなわち、Ｓ番目の画素ＰＸの色が、図３に示される特定色領域ＲＮ内の色であるとする。この場合、ステップＳ１１２でＹＥＳと判定され、処理がステップＳ１１３の処理に移行する。また、この場合、画素ＰＸは、処理対象画素である。
【００６０】
ステップＳ１１３では、座標変換処理が行なわれる。座標変換処理では、信号処理回路１００が、図３の無彩色Ｃ０の位置から、処理対象画素の色の位置を経由して、前述した全色領域境界線までを結ぶ線分における処理対象画素の色の位置を算出する。算出される色の位置は、ＵＣＳ色度図上の位置である。以下においては、図３の無彩色Ｃ０の位置から、処理対象画素の色の位置を経由して、前述した全色領域境界線までを結ぶ線分を、色算出線分という。なお、以下の説明において、色算出線分上の位置は、ＵＣＳ色度図上の位置である。
【００６１】
図６は、特定色領域ＲＮ内の色であると判定された画素の色を、特定色領域ＲＮ外の複数の色を使用して表現するための処理を説明するための図である。
【００６２】
図６（Ａ）は、色算出線分を示す図である。ここで、処理対象画素は、図３に示される画素ＰＸであるとする。この場合、図６（Ａ）において、色ＣＸは、処理対象画素としての画素ＰＸの色であるとする。この場合、ステップＳ１１３の処理により、色算出線分における処理対象画素の位置は、色ＣＸの位置であると算出される。
【００６３】
再び、図４において、ステップＳ１１４では、信号処理回路１００が、領域外高彩度色を算出する。領域外高彩度色は、図６（Ａ）に示されるように、色算出線分上の特定色領域ＲＮ外の色であって、かつ、領域境界線ＬＲ２に最も隣接する色Ｙである。すなわち、領域外高彩度色Ｙは、領域境界線ＬＲ２と全色領域境界線との間の位置の色である。すなわち、領域外高彩度色Ｙは、特定色領域ＲＮと、全色領域境界線との間の位置の色である。
【００６４】
ステップＳ１１５では、信号処理回路１００が、色ＣＸの位置と領域外高彩度色Ｙの位置との距離（以下、ＣＸ−Ｙ距離という）を算出する。
【００６５】
ステップＳ１１６では、信号処理回路１００が、領域外低彩度色を算出する。領域外低彩度色は、図６（Ａ）に示されるように、色算出線分上の特定色領域ＲＮ外の色であって、かつ、色ＣＸの位置から、無彩色Ｃ０の方向へ、ＣＸ−Ｙ距離（Ｌ１）だけ離れた位置の色Ｚである。すなわち、領域外低彩度色Ｚは、無彩色Ｃ０の位置と領域境界線ＬＲ１との間の位置の色である。すなわち、領域外低彩度色Ｚは、無彩色Ｃ０の位置と特定色領域ＲＮとの間の位置の色である。
【００６６】
また、処理対象画素の色ＣＸの位置と領域外低彩度色Ｚの位置との距離（Ｌ１）は、処理対象画素の色ＣＸの位置と領域外高彩度色Ｙの位置との距離（Ｌ１）と同じである。また、色算出線分において、無彩色Ｃ０の位置から特定色領域ＲＮ（領域境界線ＬＲ１）までの距離は、全色領域境界線から特定色領域ＲＮ（領域境界線ＬＲ２）までの距離より長い。
【００６７】
ステップＳ１１７では、色変更処理が行なわれる。色変更処理では、信号処理回路１００が、処理対象画素ＰＸの色を、算出した領域外低彩度色Ｚに変更し、かつ、処理対象画素ＰＸに対し、水平方向に隣接する画素ＰＮ（図５参照）の色を、領域外高彩度色Ｙに変更する（図６（Ｂ）参照）。
【００６８】
なお、色変更処理において、画素の色を変更する場合、ＵＣＳ色度図において、変更予定の色（例えば、領域外低彩度色Ｚ）の位置を、データ駆動回路２１０が処理可能な色空間（たとえば、ＲＧＢ色空間）内の位置に変換するための逆座標変換処理が行なわれる。すなわち、色の変更対象となる画素（たとえば、処理対象画素ＰＸ）の色は、逆座標変換処理された変更予定の色（例えば、ＲＧＢ色空間内における領域外低彩度色Ｚ）に変更される。
【００６９】
図６（Ｂ）は、２画素で目標の色（色ＣＸ）を表示することを説明するための図である。これは、通常のテレビジョン信号の色情報は色差信号で伝送され、輝度信号の半分の周波数成分、すなわち、横方向に隣接する２画素で同じ色情報しかない点に合致している。このことは、２画素平均で所望の信号を実現するこの方式は、解像度低下を招くことがない利点を有することを意味している。なお、色変化は図２のΔｕ’ｖ’の値において、一般の人間が識別可能な限界値は０．０１近辺と言われており、この程度の範囲内の誤差で色の補正をすればよい。
【００７０】
図６（Ｂ）に示されるように、領域外低彩度色Ｚを示す処理対象画素ＰＸと領域外高彩度色Ｙを示す画素ＰＮとを、ユーザ（人間）が視ると、ユーザは、処理対象画素ＰＸおよび画素ＰＮの２つの画素の色を、目の特性により色ＣＸに感じる。これは、領域外低彩度色Ｚと、領域外高彩度色Ｙとの平均の色が、色ＣＸであることによる。すなわち、この処理により、特定色領域ＲＮ内の色であると判定された画素の色を、特定色領域ＲＮ外の複数の色と、複数の画素を使用して表現することができる。
【００７１】
なお、画素ＰＮは、図５に示されるように、処理対象画素ＰＸの右隣の画素でなく、処理対象画素ＰＸの左隣の画素であってもよい。なお、処理対象画素ＰＸが、取得画像Ｇ１００において右端の画素である場合、画素ＰＮは、処理対象画素ＰＸの左隣の画素となる。また、画素ＰＮは、処理対象画素ＰＸの上または下に隣接する画素としてもよい。
【００７２】
再び、図７において、ステップＳ１１７の処理の後、前述したステップＳ１１２Ｂの処理が行なわれる。
【００７３】
以上説明した、ステップＳ１１２〜Ｓ１１７の処理が、ステップＳ１１２ＢでＹＥＳと判定されるまで繰り返し行なわれることにより、取得画像Ｇ１００が、取得画像Ｇ１００において特定色領域ＲＮ内の色であると判定された画素の色が、色Ｚ，Ｙをそれぞれ示す２つの画素により表現された画像（以下、色変更画像という）に変更される。
【００７４】
１枚の画像を構成する全ての画素に対しステップＳ１１２の処理が行なわれると、ステップＳ１１２ＢでＹＥＳと判定され、信号処理回路１００がＳの値を“１”に設定して、ステップＳ１１９の処理が行なわれる。
【００７５】
ステップＳ１１９では、画像表示処理が行なわれる。画像表示処理では、信号処理回路１００が、色変更画像を、走査駆動回路２２０へ送信する。そして、信号処理回路１００は、走査駆動回路２２０に、色変更画像を液晶パネル２３０の画像表示面に表示させるための走査信号を送信する。この処理により、液晶パネル２３０の画像表示面に、色変更画像が表示される。
【００７６】
そして、再度、ステップＳ１１１の処理が行なわれる。
以上説明したように、第１の実施の形態によれば、取得画像を構成する複数の画素の各々に対し、画素の色が、特定色領域ＲＮ内の色であるか否かを判定する。なお、特定色領域ＲＮは、表示面垂直軸上でユーザが感じる画像表示面に表示される色と、水平方向に所定角度傾けた表示面垂直軸上でユーザが感じる画像表示面に表示される色との差が、所定値以上である複数の色を含む領域である。
【００７７】
そして、特定色領域ＲＮ内の色であると判定された画素（処理対象画素）の位置に基づいて、色算出線分上の特定色領域ＲＮ外の色であって、かつ、領域境界線ＬＲ２に最も隣接する領域外高彩度色Ｙが算出される。また、処理対象画素の位置に基づいて、色算出線分上の特定色領域ＲＮ外の色であって、かつ、色ＣＸの位置から、無彩色Ｃ０の方向へ、ＣＸ−Ｙ距離だけ離れた位置の領域外低彩度色Ｚが算出される。
【００７８】
また、処理対象画素の色を、算出した領域外低彩度色Ｚに変更し、かつ、処理対象画素に対し、水平方向に隣接する画素ＰＮの色を、領域外高彩度色Ｙに変更する色変更処理が、全ての処理対象画素に対して行なわれる。
【００７９】
以上の処理により生成された色変更画像が、液晶パネル２３０の画像表示面に表示される。すなわち、画像表示面に表示される色変更画像は、ユーザが画像表示面を視る角度によって、相対的に色変化の大きな特定色領域ＲＮ内の色を使用せずに、特定色領域ＲＮ内の色であると判定された画素の色を、特定色領域ＲＮ外の領域外高彩度色Ｙおよび領域外低彩度色Ｚと、複数の画素を使用して表現した画像である。したがって、視角による、画像の色の変化を大きく低減することができる。すなわち、画像が表示される画像表示面を視る角度によって生じる色ずれを大きく低減することができる。
【００８０】
なお、第１の実施の形態において説明した処理は、ＶＡ方式と駆動方式の異なる液晶パネルを使用することなく、信号の処理だけで、視角による、画像の色の変化を大きく低減する。すなわち、製造設備、プロセス等の変更を伴わずに、視角による、画像の色の変化を大きく低減することができる。
【００８１】
＜第１の実施の形態の変形例＞
第１の実施の形態の色ずれ低減処理では、特定色領域ＲＮ内の処理対象画素の色の位置が、領域境界線ＬＲ１よりも、領域境界線ＬＲ２に近い位置にある場合、色Ｚの位置が、特定色領域ＲＮ内になる。この場合、処理対象画素の色が、視角によって色ずれが生じる色に変更されるという問題が生じる。
【００８２】
また、特定色領域ＲＮ内の処理対象画素の色の位置が、領域境界線ＬＲ１よりも、領域境界線ＬＲ２に近い位置にある場合、色Ｚの位置が特定色領域ＲＮ外の位置になるように、色Ｙの位置を決める処理を行なった場合、色Ｙが原色になる場合もある。この場合、所望の色が表示できないという問題が生じる。
【００８３】
次に、上記問題を解決するために、特定色領域ＲＮ内の画素の色を、４つの画素で表現するための処理について説明する。詳細は後述するが、テレビジョン受像機が表示する自然画においては、色情報に細かなパターン、すなわち、高い周波数成分はほとんどないので、上下２ラインで同じ色情報を表示しても解像度に関する画質の影響度は少ない。この場合、特定色領域ＲＮを４等分にできるので、１：３の重み付けを利用することにより、前述した２画素の方式では困難であった領域の色の表現も実現できる。
【００８４】
第１の実施の形態の変形例における液晶表示装置の構成および機能は、図１の液晶表示装置１０００と同様なので詳細な説明は繰り返さない。
【００８５】
（色ずれ低減のための処理）
次に、視角に応じて生じる色ずれを低減するための処理（以下、色ずれ低減処理Ａという）について説明する。
【００８６】
図７は、色ずれ低減処理Ａのフローチャートである。図７において、図４のステップ番号と同じステップ番号の処理は、第１の実施の形態で説明した処理と同様な処理が行なわれるので詳細な説明は繰り返さない。
【００８７】
色ずれ低減処理ＡのステップＳ１１１，Ｓ１１２，Ｓ１１３では、第１の実施の形態で説明した処理と同様な処理が行なわれる。
【００８８】
ステップＳ１１３Ａでは、信号処理回路１００が、処理対象画素の色の位置が後述する色領域ＲＹ内の位置であるか否かを判定する。
【００８９】
図８は、特定色領域ＲＮ内の色であると判定された画素の色を、特定色領域ＲＮ外の複数の色を使用して表現するための処理を説明するための図である。
【００９０】
図８（Ａ）は、第１の実施の形態で説明した色算出線分を示す図である。図８（Ａ）において、色領域ＲＹは、色算出線分上の特定色領域ＲＮを４等分することにより得られる４つの領域のうち、領域境界線ＬＲ２に隣接する領域である。すなわち、色領域ＲＹは、色算出線分上の特定色領域ＲＮ内の領域であって、かつ、領域境界線ＬＲ１より領域境界線ＬＲ２に近い領域である。
【００９１】
再び、図７において、ステップＳ１１３Ａにおいて、ＹＥＳならば、処理は後述するステップＳ２１４Ａの処理に移行する。一方、ステップＳ１１３Ａにおいて、ＮＯならば、処理はステップＳ１１３Ｂの処理に移行する。ここでは、処理対象画素の色の位置が色領域ＲＹ内の位置であるとして、処理がステップＳ２１４Ａの処理に移行するとする。
【００９２】
なお、ステップＳ１１３Ｂでは、信号処理回路１００が、処理対象画素の色の位置が、領域境界線ＬＲ２より領域境界線ＬＲ１に近いか否かを判定する。ステップＳ１１３Ｂにおいて、ＹＥＳならば、処理はステップＳ１１４の処理に移行する。ステップＳ１１３Ｂにおいて、ＹＥＳと判定される場合、処理対象画素の色の位置は、特定色領域ＲＮ内の位置であって、かつ、特定色領域ＲＮの真ん中より無彩色Ｃ０側の位置である。
【００９３】
一方、ステップＳ１１３Ｂにおいて、ＮＯならば、処理はステップＳ２１４Ａの処理に移行する。ステップＳ１１３Ｂにおいて、ＮＯと判定される場合、処理対象画素の色の位置は、特定色領域ＲＮ内の位置であって、かつ、特定色領域ＲＮの真ん中と、色領域ＲＹとの間の位置である。
【００９４】
ステップＳ１１４〜Ｓ１１７の処理は、第１の実施の形態で説明したので詳細な説明は繰り返さない。
【００９５】
ステップＳ２１４Ａでは、信号処理回路１００が、第１領域外低彩度色を算出する。第１領域外低彩度色は、図８（Ａ）に示されるように、色算出線分上の特定色領域ＲＮ外の色であって、かつ、領域境界線ＬＲ１に最も隣接する色Ｚである。
【００９６】
ステップＳ２１５Ａでは、信号処理回路１００が、色ＣＸの位置と第１領域外低彩度色Ｚの位置との距離（以下、ＣＸ−Ｚ距離という）を算出する。
【００９７】
ステップＳ２１６Ａでは、信号処理回路１００が、第２領域外高彩度色を算出する。第２領域外高彩度色は、図８（Ａ）に示されるように、色算出線分上の特定色領域ＲＮ外の色であって、かつ、色ＣＸの位置から、原色ＣＰの方向へ、ＣＸ−Ｚ距離（Ｌ１Ａ）の１／３倍の距離（Ｌ２Ｂ）だけ離れた位置の色Ｙである。すなわち、図８（Ａ）に示されるように、ＣＸ−Ｚ距離（Ｌ１Ａ）および色ＣＸの位置と第２領域外高彩度色Ｙとの距離（Ｌ２Ｂ）の比は、３対１になる。
【００９８】
なお、ステップＳ１１３ＢでＮＯと判定された後、ステップＳ２１６Ａの処理が行なわれる場合、第２領域外高彩度色は、特定色領域ＲＮ内の色となる。この場合、信号処理回路１００は、算出した第２領域外高彩度色を、色算出線分上の特定色領域ＲＮ外の色であって、かつ、領域境界線ＬＲ２に最も隣接する色Ｙとする。
【００９９】
ステップＳ２１７Ａでは、色変更処理Ａが行なわれる。色変更処理Ａでは、信号処理回路１００が、処理対象画素ＰＸの色を、算出した第１領域外低彩度色Ｚに変更し、かつ、処理対象画素ＰＸに対し、水平方向に隣接する画素ＰＮ（図５参照）の色を、第２領域外高彩度色Ｙに変更する（図８（Ｂ）参照）。また、信号処理回路１００は、画素ＰＮ１の色および画素ＰＮ２の色を、第２領域外高彩度色Ｙに変更する（図８（Ｂ）参照）。なお、色変更処理Ａにおいて、画素の色を変更する場合、ＵＣＳ色度図において、変更予定の色（例えば、第１領域外低彩度色Ｚ）の位置を、データ駆動回路２１０が処理可能な色空間（たとえば、ＲＧＢ色空間）内の位置に変換するための逆座標変換処理が行なわれる。すなわち、色の変更対象となる画素（たとえば、処理対象画素ＰＸ）の色は、逆座標変換処理された変更予定の色（例えば、ＲＧＢ色空間内における第１領域外低彩度色Ｚ）に変更される。
【０１００】
色変更処理Ａで行なわれる画像処理は、色の濃さに対するディザ法である。なお、色変更処理Ａでは、ディザ法に限定されることなく、画像処理としての誤差拡散法が行なわれてもよい。
【０１０１】
画素ＰＮ１は、処理対象画素ＰＸに対し、縦方向に隣接する画素である。なお、処理対象画素ＰＸが、図５の取得画像Ｇ１００において最下部の画素である場合、画素ＰＮ１は、処理対象画素ＰＸの上に隣接する画素となる。画素ＰＮ２は、画素ＰＮに対し縦方向に隣接する画素であって、かつ、画素ＰＮ１に対し、横方向に隣接する画素である。
【０１０２】
図８（Ｂ）に示されるように、第１領域外低彩度色Ｚを示す処理対象画素ＰＸと、領域外高彩度色Ｙを示す画素ＰＮ，ＰＮ１，ＰＮ２とを、ユーザ（人間）が視ると、ユーザは、処理対象画素ＰＸと、画素ＰＮ，ＰＮ１，ＰＮ２とによる４つの画素の色を、目の特性により色ＣＸに感じる。すなわち、この処理により、特定色領域ＲＮ内の色であると判定された画素の色を、特定色領域ＲＮ外の複数の色と、複数の画素を使用して表現することができる。
【０１０３】
なお、前述したように、処理対象画素ＰＸが、取得画像Ｇ１００において右端の画素である場合、画素ＰＮは、処理対象画素ＰＸの左隣の画素となる。この場合、画素ＰＮ２は、画素ＰＮ１の左隣の画素となる。すなわち、画素ＰＮ２の位置は、画素ＰＮ，ＰＮ１の位置により変化する。
【０１０４】
ステップＳ２１７Ａの処理の後、ステップＳ１１２Ｂの処理が行なわれる。
以上説明した、ステップＳ２１４Ａ〜Ｓ２１７Ａの処理、第１の実施の形態で説明したステップＳ１１２〜Ｓ１１７の処理が、ステップＳ１１２ＢでＹＥＳと判定されるまで繰り返し行なわれることにより、取得画像Ｇ１００が、色変更画像Ａに変更される。色変更画像Ａは、取得画像Ｇ１００において特定色領域ＲＮ内の色領域ＲＹ内の１つの画素の色が、色Ｚを示す画素と、色Ｙを示す３つの画素とからなる４つの画素により表現された画像である。また、色変更画像Ａは、取得画像Ｇ１００において特定色領域ＲＮ内の色であると判定された画素の色が、色Ｚ，Ｙをそれぞれ示す２つの画素により表現された画像でもある。
【０１０５】
１枚の画像を構成する全ての画素に対しステップＳ１１２の処理が行なわれると、ステップＳ１１２ＢでＹＥＳと判定され、信号処理回路１００がＳの値を“１”に設定して、ステップＳ１１９Ａの処理が行なわれる。
【０１０６】
ステップＳ１１９Ａでは、画像表示処理Ａが行なわれる。画像表示処理Ａでは、信号処理回路１００が、色変更画像Ａの信号を、データ駆動回路２１０へ送信する。データ駆動回路２１０は、受信した画像信号を、液晶パネル２３０へ送信する。そして、信号処理回路１００は、走査駆動回路２２０に、色変更画像Ａを液晶パネル２３０の画像表示面に表示させるための走査信号を送信する。この処理により、液晶パネル２３０の画像表示面に、色変更画像Ａが表示される。
【０１０７】
そして、再度、ステップＳ１１１の処理が行なわれる。
以上説明したように、第１の実施の形態の変形例によれば、処理対象画素の色の位置に応じて、処理対象画素の色を、特定色領域ＲＮ外の色を使用した４つの画素で表現したり、処理対象画素の色を、特定色領域ＲＮ外の色を使用した２つの画素で表現したりする。
【０１０８】
したがって、第１の実施の形態の変形例による処理では、視角による、画像の色の変化を、第１の実施の形態よりさらに大きく低減することができる。すなわち、画像が表示される画像表示面を視る角度によって生じる色ずれをさらに大きく低減することができる。
【０１０９】
＜第２の実施の形態＞
次に、連続する複数の画像（フレーム）を使用することにより、第１の実施の形態の変形例よりもさらに、視角による、画像の色の変化を低減させるための処理について説明する。
【０１１０】
図９は、第２の実施の形態における液晶表示装置１０００Ｂの構成を示すブロック図である。図９に示されるように、液晶表示装置１０００Ｂは、図１の液晶表示装置１０００と比較して、液晶表示装置１０００Ｂがフレームバッファ２４０Ｂをさらに備える点が異なる。それ以外は、液晶表示装置１０００と同様なので詳細な説明は繰り返さない。
【０１１１】
フレームバッファ２４０Ｂは、画像を一時的に記憶するメモリである。フレームバッファ２４０Ｂは、一例として、４枚の画像（フレーム）を記憶可能であるとする。なお、フレームバッファ２４０Ｂは、４枚に限定されることなく、５枚以上の画像（フレーム）を記憶可能であってもよい。
【０１１２】
信号処理回路１００は、入力される画像信号ＩＭＧに対し、色処理（例えば、後述する色ずれ低減処理Ｂ等）、ガンマ補正等の画像処理を行ない、当該画像処理を行なった画像信号を、フレームバッファ２４０Ｂに送信する。フレームバッファ２４０Ｂは、４枚の画像を記憶している状態で、信号処理回路１００から、新たに画像信号を受信した場合、４枚の画像のうち、最もはやく記憶された画像の信号を、データ駆動回路２１０へ送信する。なお、フレームバッファ２４０Ｂは、１枚の画像のみ記憶している場合であっても、記憶している画像を表示するタイミングになれば、記憶している画像の信号を、データ駆動回路２１０へ送信する。
【０１１３】
データ駆動回路２１０は、受信した画像信号を、液晶パネル２３０へ送信する。
また、信号処理回路１００は、フレームバッファ２４０Ｂから送信される画像の信号を、液晶パネル２３０が受信するタイミングで、液晶パネル２３０の画像表示面に、液晶パネル２３０が受信した画像信号に基づく画像を表示させるための制御信号を送信する。なお、液晶パネル２３０の画像表示面に画像を表示させるための処理は、一般的なＶＡ方式の液晶表示装置と同様なので詳細な説明は行なわない。
【０１１４】
（色ずれ低減のための処理）
次に、視角に応じて生じる色ずれを低減するための処理（以下、色ずれ低減処理Ｂという）について説明する。なお、信号処理回路１００は、フレームカウンタｎの値を保持しているとする。フレームカウンタｎの初期値は、“０”であるとする。なお、信号処理回路１００は、所定順序で連続して表示するための複数の画像（フレーム）を、外部から、１枚ずつ順に取得するとする。
【０１１５】
図１０は、色ずれ低減処理Ｂのフローチャートである。図１０において、図７のステップ番号と同じステップ番号の処理は、第１の実施の形態および第１の実施の形態の変形例で説明した処理と同様な処理が行なわれるので詳細な説明は繰り返さない。
【０１１６】
ステップＳ１１１Ｂでは、信号処理回路１００が、外部から画像を取得する。具体的には、信号処理回路１００が、外部から画像を示す画像信号を取得する。以下においては、信号処理回路１００が取得した画像信号が示す画像を、取得画像という。ここで、取得画像は、図５の取得画像Ｇ１００であるとする。取得画像Ｇ１００のサイズは、一例として、横１９２０画素、縦１０８０画素のサイズであるとする。
【０１１７】
また、信号処理回路１００は、画像を取得すると、フレームカウンタｎを“１”インクリメントする。
【０１１８】
ステップＳ１１１Ｃでは、信号処理回路１００が、フレームカウンタｎの値が、“１”であるか否かを判定する。ステップＳ１１１Ｃにおいて、ＹＥＳならば、処理はステップＳ１１２の処理に移行する。一方、ステップＳ１１１Ｃにおいて、ＮＯならば、処理は、後述するステップＳ３２１Ｂに移行する。ここでは、フレームカウンタｎの値が“１”であるとして、処理はステップＳ１１２に移行するとする。
【０１１９】
色ずれ低減処理ＢのステップＳ１１２，Ｓ１１３では、第１の実施の形態で説明した処理と同様な処理が行なわれる。
【０１２０】
ステップＳ１１３Ｎでは、信号処理回路１００が、処理対象画素の色の位置が後述する色領域ＲＹＢ内の位置であるか否かを判定する。
【０１２１】
図１１は、特定色領域ＲＮ内の色であると判定された画素の色を、特定色領域ＲＮ外の複数の色を使用して表現するための処理を説明するための図である。
【０１２２】
図１１（Ａ）は、第１の実施の形態で説明した色算出線分を示す図である。図１１（Ａ）は、図８（Ａ）の特定色領域ＲＮの部分を拡大した図である。図１１（Ａ）において、色領域ＲＹは、図８（Ａ）を用いて説明したので詳細な説明は繰り返さない。
【０１２３】
図１１（Ａ）において、色領域ＲＹＢは、色算出線分上の色領域ＲＹを４等分することにより得られる４つの領域のうち、領域境界線ＬＲ２に隣接する領域である。すなわち、色領域ＲＹＢは、色算出線分上の特定色領域ＲＮ内の領域であって、かつ、領域境界線ＬＲ１より領域境界線ＬＲ２に近い領域である。
【０１２４】
再び、図１０において、ステップＳ１１３Ｎにおいて、ＹＥＳならば、処理は後述するステップＳ３１４Ｂの処理に移行する。一方、ステップＳ１１３Ｎにおいて、ＮＯならば、処理はステップＳ１１３Ａに移行する。ここでは、処理対象画素の色の位置が色領域ＲＹＢ内の位置であるとして、処理がステップＳ３１４Ｂの処理に移行するとする。
【０１２５】
なお、ステップＳ１１３Ａ，ステップＳ１１３Ｂ，ステップＳ１１４〜Ｓ１１７、ステップＳ２１４Ａ〜Ｓ２１７Ａでは、第１の実施の形態および第１の実施の形態の変形例で説明した処理と同様な処理が行なわれるので詳細な説明は繰り返さない。
【０１２６】
ステップＳ３１４Ｂでは、ステップＳ２１４Ａの処理と同様な処理が行なわれるので詳細な説明は繰り返さない。この処理により、第１領域外低彩度色が算出される。第１領域外低彩度色は、図１１（Ａ）に示されるように、色算出線分上の特定色領域ＲＮ外の色であって、かつ、領域境界線ＬＲ１に最も隣接する色Ｚである。
【０１２７】
ステップＳ３１５Ｂでは、ステップＳ２１５Ａの処理と同様な処理が行なわれるので詳細な説明は繰り返さない。この処理により、色ＣＸの位置と第１領域外低彩度色Ｚの位置との距離（以下、ＣＸ−Ｚ距離という）が算出される。
【０１２８】
ステップＳ３１６Ｂでは、信号処理回路１００が、第３領域外高彩度色を算出する。第３領域外高彩度色は、図１１（Ａ）に示されるように、色算出線分上の特定色領域ＲＮ外の色であって、かつ、色ＣＸの位置から、原色ＣＰの方向へ、ＣＸ−Ｚ距離（Ｌ１Ｃ）の１／１５倍の距離（Ｌ２Ｄ）だけ離れた位置の色Ｙである。すなわち、図１１（Ａ）に示されるように、ＣＸ−Ｚ距離（Ｌ１Ｃ）および色ＣＸの位置と第３領域外高彩度色Ｙとの距離（Ｌ２Ｄ）の比は、１５対１になる。
【０１２９】
ステップＳ３１７Ｂでは、色変更処理ＡＢが行なわれる。色変更処理ＡＢは、図７のステップＳ２１７Ａの色変更処理Ａの説明において、第２領域外高彩度色を第３領域外高彩度色に置き換えた処理であるので詳細な説明は繰り返さない。この処理により、フレームカウンタｎが“１”である場合、取得画像内の４つの画素に設定される色は、図１１（Ｂ）に示されるｎフレームが示す４つの画素のようになる。以下においては、ステップＳ３１７Ｂの処理により色が変更された４つの画素を、色変更済画素群という。
【０１３０】
ステップＳ３１７Ｂの処理の後、処理はステップＳ３１８Ｂの処理に移行する。
ステップＳ３１８Ｂでは、信号処理回路１００が、色変更済画素群を構成する４つの画素の各々の座標と、算出した第３領域外高彩度色Ｙとを示す色変更情報を記憶する。色変更情報が示す第３領域外高彩度色Ｙは、データ駆動回路２１０が処理可能な色空間（たとえば、ＲＧＢ色空間）内で表現される色である。
【０１３１】
なお、ステップＳ３１８Ｂの処理が繰り返される毎に、信号処理回路１００は、色変更情報をさらに記憶する。すなわち、ステップＳ３１８Ｂの処理が複数回、繰り返されると、信号処理回路１００は、複数の色変更情報を記憶することになる。
【０１３２】
ステップＳ３１８Ｂの処理の後、ステップＳ１１２Ｂの処理が行なわれる。
そして、前述したステップＳ１１２，Ｓ１１３，Ｓ１１３Ｎ，Ｓ１１３Ａ，Ｓ１１３Ｂ，Ｓ１１４〜Ｓ１１７、ステップＳ２１４Ａ〜Ｓ２１７Ａの処理、ステップＳ３１４Ｂ〜Ｓ３１８Ｂの処理が、ステップＳ１１２ＢでＹＥＳと判定されるまで繰り返し行なわれることにより、取得画像Ｇ１００が、前述した色変更画像Ａに変更される。
【０１３３】
１枚の画像を構成する全ての画素に対しステップＳ１１２の処理が行なわれると、ステップＳ１１２ＢでＹＥＳと判定され、信号処理回路１００がＳの値を“１”に設定して、ステップＳ１１９Ｂの処理が行なわれる。
【０１３４】
ステップＳ１１９Ｂでは、画像表示処理Ｂが行なわれる。画像表示処理Ｂでは、信号処理回路１００が、生成した最新の画像（たとえば、色変更画像Ａ）を、フレームバッファ２４０Ｂに送信する。フレームバッファ２４０Ｂは、受信した画像（たとえば、色変更画像Ａ）の信号を、データ駆動回路２１０へ送信する。データ駆動回路２１０は、受信した画像信号を、液晶パネル２３０へ送信する。
【０１３５】
また、信号処理回路１００は、走査駆動回路２２０に、液晶パネル２３０が受信した画像（例えば、色変更画像Ａ）を液晶パネル２３０の画像表示面に表示させるための走査信号を送信する。この処理により、液晶パネル２３０の画像表示面に、最新の画像（例えば、色変更画像Ａ）が表示される。
【０１３６】
そして、再度、ステップＳ１１１Ｂの処理が行なわれる。ステップＳ１１１Ｂの処理により、フレームカウンタｎが“１”である場合の取得画像の次に表示するための取得画像が得られる。また、ステップＳ１１１Ｂの処理により、フレームカウンタｎは“２”になる。
【０１３７】
そして、ステップＳ１１１ＣでＮＯと判定され、処理がステップＳ３２１Ｂに移行するとする。
【０１３８】
以下においては、フレームカウンタｎが“２”〜“４”のいずれかであるときの取得画像において、前述した色変更済画素群と同じ位置にある、４つの画素からなる画素群を色変更対象画素群という。
【０１３９】
ステップＳ３２１Ｂでは、信号処理回路１００が、フレームカウンタｎの値が、５であるか否かを判定する。ステップＳ３２１Ｂにおいて、ＹＥＳならば、処理は後述するステップＳ３３０Ｂに移行する。一方、ステップＳ３２１Ｂにおいて、ＮＯならば、処理はステップＳ３２７Ｂに移行する。ここでは、フレームカウンタｎの値が“２”であるとして、処理はステップＳ３２７Ｂに移行するとする。
【０１４０】
ステップＳ３２７Ｂでは、色変更処理Ｂが行なわれる。色変更処理Ｂでは、信号処理回路１００が、記憶している１以上の色変更情報に基づいて、最新の取得画像内の１以上の色変更対象画素群を、対応する第３領域外高彩度色Ｙに変更する。以下においては、ステップＳ３２７Ｂの処理により色が変更された４つの画素からなる画素群も、色変更済画素群という。
【０１４１】
たとえば、１つの色変更情報が、図５の取得画像Ｇ１００内の色変更済画素群を構成する４つの画素の各々の座標と、第３領域外高彩度色Ｙとを示す場合、色変更処理Ｂでは、最新の取得画像内の図５で示される４つの画素の位置とそれぞれ同じ位置の４つの画素の色が、第３領域外高彩度色Ｙに変更される。
【０１４２】
この場合、取得画像内の色変更対象画素群を構成する４つの画素に設定される色は、図１１（Ｂ）に示されるｎ＋１フレームが示す４つの画素のようになる。色変更情報が複数あれば、最新の取得画像内の複数の色変更対象画素群の各々の色が、対応する色変更情報が示す第３領域外高彩度色Ｙに変更される。
【０１４３】
ステップＳ３２８Ｂでは、信号処理回路１００が、記憶している１以上の色変更情報を消去する。そして、再度、ステップＳ１１９Ｂの処理が行なわれる。この処理により、ステップＳ３２７Ｂの処理により色が変更された画像が、液晶パネル２３０の画像表示面に表示される。
【０１４４】
そして、再度、ステップＳ１１１Ｂの処理が行なわれる。
なお、ステップＳ３２１Ｂにおいて、ＹＥＳならば、処理はステップＳ３３０Ｂに移行する。
【０１４５】
ステップＳ３３０Ｂでは、信号処理回路１００が、フレームカウンタｎの値を、“１”に設定する。そして、再度、ステップＳ１１２Ｂの処理が行なわれる。
【０１４６】
以上説明した処理が、繰り返し行なわれることにより、液晶パネル２３０の画像表示面に１番目に表示される画像は、ステップＳ１１７の色変更処理、ステップＳ２１７Ａの色変更処理ＡおよびステップＳ３１７Ｂの色変更処理ＡＢの少なくとも１つの処理により、色が変更された画像となる。また、液晶パネル２３０の画像表示面に２番目〜４番目に表示される画像は、ステップＳ３２７Ｂの色変更処理Ｂにより色が変更された画像となる。
【０１４７】
すなわち、画像表示面に表示される１番目の画像は、図１１（Ｂ）におけるｎフレームが示す色変更済画素群を１以上示す。画像表示面に表示される２番目の画像は、図１１（Ｂ）におけるｎ＋１フレームが示す色変更済画素群を１以上示す。画像表示面に表示される３番目の画像は、図１１（Ｂ）におけるｎ＋２フレームが示す色変更済画素群を１以上示す。画像表示面に表示される４番目の画像は、図１１（Ｂ）におけるｎ＋３フレームが示す色変更済画素群を１以上示す。すなわち、色ずれ低減処理Ｂでは、処理対象画素の色を、特定色領域ＲＮ外の色を使用した１６個の画素で表現する。
【０１４８】
図１１（Ｂ）に示されるように、上記１〜４番目の画像が連続して表示される画像表示面を、ユーザ（人間）が視ると、画像内の同じ位置の色変更済画素群を構成する４つの画素の色を、目の特性により色ＣＸに感じる。
【０１４９】
以上説明したように、第２の実施の形態によれば、処理対象画素の色の位置に応じて、連続して表示する４つの画像（フレーム）を使用して、処理対象画素の色を、特定色領域ＲＮ外の色を使用した１６個の画素で表現する。なお、色ずれ低減処理Ｂは、処理対象画素の色の位置に応じて、第１の実施の形態の変形例に含まれる処理も行なう。
【０１５０】
したがって、第２の実施の形態による処理では、視角による、画像の色の変化を、第１の実施の形態の変形例よりさらに大きく低減することができる。すなわち、画像が表示される画像表示面を視る角度によって生じる色ずれをさらに大きく低減することができる。
【０１５１】
なお、第２の実施の形態の処理は、図１０の色ずれ低減処理Ｂにおいて、ステップＳ１１９Ｂの画像表示処理Ｂの代わりに図７のステップＳ１１９Ａの画像表示処理Ａと同様な処理が行なわれれば、図１の液晶表示装置１０００でも実行可能である。
【０１５２】
なお、第２の実施の形態では、処理対象画素の色を、図１１（Ｂ）に示される４つの色変更済画素群のように色を割り当てたが、これに限定されることなく、色Ｙ、色Ｚの割り当てを図１１（Ｂ）以外のようにしても、本発明は実施可能である。
【０１５３】
なお、第２の実施の形態では、連続する４枚の画像（フレーム）を使用したが、連続する５枚以上の画像を使用して、さらに精度よく、特定色領域ＲＮ内の色を表現してもよい。なお、当然ながら、本発明は、４画素×４フレーム以外の組み合わせでも実施可能である。たとえば、本発明は、２画素×４フレーム、４画素×２フレーム等の組み合わせでも実施可能である。
【０１５４】
また、第２の実施の形態では、特定色領域ＲＮ外の色を使用した１６個の画素で表現する。すなわち、１／１６単位まで色の濃さが細かくなると、色Ｚ，色Ｙは領域境界線に隣接する固定された離散的な色であっても、一般画像では十分な色数である場合が多い。そのため、本発明では、処理対象画素の色の位置に応じて第３領域外高彩度色Ｙを算出することなく、色Ｙを、領域境界線ＬＲ２に隣接する固定された離散的な色としてもよい。
【０１５５】
また、本発明は、処理対象画素の色の位置に応じて第３領域外高彩度色Ｙを算出することなく、処理対象画素の色の位置が、特定色領域ＲＮ内の離散的な位置に近いかを判定することにより、使用する色Ｙおよび色Ｚの数を算出し、算出した数の色Ｙおよび色Ｚにより、処理対象画素の色を表現してもよい。
【０１５６】
なお、激しく動く動画では細かな色のニュアンスまではユーザに認識されないので、動画検出アルゴリズムも入れながら、複数フレーム（静止画／細かな色）と単独フレーム（動画／ある程度大雑把な色）とを切り替えるような処理を行なっても良い。
【０１５７】
また、本発明では、特定のドット状パターンを避けるため、少数側の色をラウンドロビングして位置をずらすことが望ましいのは無論である。
【０１５８】
（実験結果）
次に、発明者らの実験において、大多数の一般視聴者が色変化を指摘する第１の色は肌色であることが判明した。他の原色系はある程度の色変化は鈍感または許容する結果であった。具体的には、肌色は、ＵＣＳ色度図において、Δｕ’ｖ’の値が０．００８である場合、色変化の指摘があるのに対し、赤や青はΔｕ’ｖ’の値が０．０３または０．０４の場合、色変化の指摘があった。そこで、肌色のみ本発明を適用することで、回路規模の縮小を図ることが可能であることを見いだした。以下においては、ＵＣＳ色度図において、肌色を示す領域を肌色領域ＲＭという。
【０１５９】
図１２は、ＵＣＳ色度図において、肌色領域ＲＭを説明するための図である。図１２において、肌色領域ＲＭは、ｕ’＝０．２，ｖ’＝０．４６の位置と、ｕ’＝０．３２，ｖ’＝０．５４の位置とを結ぶ領域である。なお、肌色領域ＲＭの長さは、Δｕ’ｖ’０．０３である。発明者らは、肌色領域ＲＭ付近が、上記実験により、肌色と認識されることを見いだした。
【０１６０】
肌色領域ＲＭのサイズの領域であればルックアップテーブル等の簡易的な処理回路でも可能となる。図１２において、色ＤＳは、マクベスチャートのＤａｒｋ  Ｓｋｉｎの座標を示している。マクベスチャートは、カメラ、映画の撮影時における撮影機器等の色バランスを調整するための基準カラーチャートである。色ＬＳは、マクベスチャートのＬｉｇｈｔ  Ｓｋｉｎの座標を示している。ほぼ、このあたりが肌色の典型的な色である。なお、色ＤＳ，ＬＳは、特定色領域ＲＮ内に含まれる。
【０１６１】
（機能ブロック図）
図１３は、第１の実施の形態、第１の実施の形態の変形例および第２の実施の形態における、信号処理回路１００の機能ブロック図である。
【０１６２】
図１３に示されるように、信号処理回路１００は、取得部１０１と、色判定部１０２と、色処理部１０３と、位置判定部１０４とを含む。
【０１６３】
取得部１０１は、画像を取得する。色判定部１０２は、画像を構成する複数の画素の各々に対し、画素の色が、液晶表示装置が表示可能な全ての色を示す色度図上の特定色領域内の色であるか否かを判定する色判定処理を行なう。
【０１６４】
色処理部１０３は、色判定部１０２により特定色領域内の色であると判定された画素である処理対象画素の色の位置に基づいて、特定色領域外の色であって、かつ、処理対象画素の色より彩度の低い第１色と、特定色領域外の色であって、かつ、処理対象画素の色より彩度の高い第２色とを算出する色算出処理と、処理対象画素の色を第１色および第２色の一方に変更し、かつ、処理対象画素の近傍の画素の色を第１色および第２色の他方に変更する色変更処理とを、全ての処理対象画素に対して行なう。
【０１６５】
位置判定部１０４は、処理対象画素の色の位置が、色度図上の無彩色の位置から、処理対象画素の色の位置を経由して、全ての色を含む全色領域の境界を示す全色領域境界線までを結ぶ線分上の特定色領域内の領域であって、かつ、第１の境界線上位置より第２の境界線上位置に近い領域である所定領域内の位置であるか否かを判定する。
【０１６６】
色処理部１０３は、位置判定部１０４により処理対象画素の色の位置が所定領域内の位置であると判定された場合、色算出処理と、処理対象画素の色を第１色に変更し、かつ、処理対象画素の近傍の複数の画素の色を第２色に変更する複数色変更処理とを、色の位置が所定領域内の位置であると判定された全ての処理対象画素に対して行なう。
【０１６７】
なお、信号処理回路１００に含まれる、取得部１０１、色判定部１０２、色処理部１０３および位置判定部１０４の全てまたは一部は、ハードウエアで構成されてもよい。また、取得部１０１、色判定部１０２、色処理部１０３および位置判定部１０４の全てまたは一部は、信号処理回路１００により実行されるプログラムのモジュールであってもよい。
【０１６８】
なお、本発明は、図４、図７、図１０のフローチャートに示される各ステップを、コンピュータに実行させるプログラムとしても実現することもできる。また、本発明は、当該プログラムを格納するコンピュータ読み取り可能な記録媒体、集積回路としても実現することができる。
【０１６９】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【０１７０】
本発明における色の処理により、ＶＡ方式の液晶表示装置による、視角による、画像の色の変化を低減することができ、画像の高画質化を実現することが可能となる。
【図面の簡単な説明】
【０１７１】
【図１】第１の実施の形態における液晶表示装置の構成を示すブロック図である。
【図２】ＵＣＳ色度図上の無彩色から原色までにおける、視角毎の色ずれを説明するための示す図である。
【図３】ＵＣＳ色度図において、特定色領域ＲＮを示す図である。
【図４】色ずれ低減処理のフローチャートである。
【図５】一例としての取得画像を示す図である。
【図６】特定色領域ＲＮ内の色であると判定された画素の色を、特定色領域ＲＮ外の複数の色を使用して表現するための処理を説明するための図である。
【図７】色ずれ低減処理Ａのフローチャートである。
【図８】特定色領域ＲＮ内の色であると判定された画素の色を、特定色領域ＲＮ外の複数の色を使用して表現するための処理を説明するための図である。
【図９】第２の実施の形態における液晶表示装置の構成を示すブロック図である。
【図１０】色ずれ低減処理Ｂのフローチャートである。
【図１１】特定色領域ＲＮ内の色であると判定された画素の色を、特定色領域ＲＮ外の複数の色を使用して表現するための処理を説明するための図である。
【図１２】ＵＣＳ色度図において、肌色領域ＲＭを説明するための図である。
【図１３】第１の実施の形態、第１の実施の形態の変形例および第２の実施の形態における、信号処理回路の機能ブロック図である。
【図１４】ＶＡ方式の液晶パネルの特性を示す図である。
【図１５】色の変化を説明するための図である。
【符号の説明】
【０１７２】
１００  信号処理回路
２３０  液晶パネル
１０００，１０００Ｂ  液晶表示装置
【図１】
2010054729.tif 000003
【図２】
2010054729.tif 000004
【図３】
2010054729.tif 000005
【図４】
2010054729.tif 000006
【図５】
2010054729.tif 000007
【図６】
2010054729.tif 000008
【図７】
2010054729.tif 000009
【図８】
2010054729.tif 000010
【図９】
2010054729.tif 000011
【図１０】
2010054729.tif 000012
【図１１】
2010054729.tif 000013
【図１２】
2010054729.tif 000014
【図１３】
2010054729.tif 000015
【図１４】
2010054729.tif 000016
【図１５】
2010054729.tif 000017